(57)【要約】【課題】構造を簡易にして、コストの低減とコンパクト化を図る。【解決手段】低圧回路にダイオードＤ１〜Ｄ４により組み立てられたフルブリッジ整流回路が採用され、一方の交流入力線Ｌ１に当該入力線Ｌ１に入力する交流電圧の上げ下げ作用に役立つコンデンサーＣ１と抵抗Ｒ１が直列に接続され、他方の交流入力線Ｌ２は直接市内電源（１００〜２４０Ｖ、５０〜６０Ｈｚの交流電圧）と接続され、また、直流出力線Ｌ３、Ｌ４にフィルターコンデンサーＣ２とツェナ−ダイオードＤ５が並列に接続されて、ツェナ−ダイオードＤ５の陽陰極を後部回路の低圧直流電源の出力端とする。【選択図】図１
0003121068.tif 000002
【実用新案登録請求の範囲】
【請求項１】
市内電源と接続され、ライティングセットを含む後部回路に安定した直流電源を供給する低圧回路と、
前記低圧回路に接続され、前記低圧回路からの入力により、ライティングセット駆動信号を出力する制御回路と、
前記制御回路に接続され、前記制御回路から出力された前記ライティングセット駆動信号に基いて前記ライティングセットを駆動する出力回路とを備え、
前記低圧回路にフルブリッジ整流回路を含み、前記フルブリッジ整流回路の一本の交流入力線に入力する交流電圧を上げ下げする作用を有する抵抗とコンデンサーが直列に接続され、前記フルブリッジ整流回路の直流出力線にフィルターコンデンサーとツェナ−ダイオードが並列に接続されて、前記ツェナ−ダイオードの陽陰極を前記後部回路の低圧直流電源の出力端とすることを特徴とするライティングセットコントローラー。
【考案の詳細な説明】
【技術分野】
【０００１】
本考案は、ライティングセットコントローラーに関し、特に、低圧回路を有するライティングセットコントローラーに関する。
【背景技術】
【０００２】
多くの場所で、楽しい雰囲気を作り出し、美感を与え、また飾り効果を増大するために、各種の飾りランプなど、飾りライティングセットが使用されている（特許文献１参照。）。一般に、ライティングセットはコントローラーにより点灯、点滅され、また明るさが変えられて明るくなったり暗くなったりコントロールされている。従来、このライティングセットコントローラーは低圧に変圧しなければ、入力電圧は出力電圧になり、低圧に変圧する場合は、トランス（低周波変圧器又は高周波変圧器を含む。）が使用される。
【特許文献１】実用新案登録第３０８７７８１号公報
【考案の開示】
【考案が解決しようとする課題】
【０００３】
しかしながら、従来のライティングセットコントローラーでは、既述のとおり、トランスを使用しないと、低圧に変圧できないため、このトランスが高価で、ライティングセットコントローラーの生産コストが有効に引下げられないという問題があり、さらに、トランス（の体積）が大きいために、ライティングセットコントローラー（の体積）もまた大型にならざるを得ないという問題がある。
【０００４】
本考案は、このような従来の課題に鑑みなされたもので、この種のライティングセットコントローラーにおいて、構造を簡易にして、コストの低減と（体積の）コンパクト化を図ることを目的とする。
【課題を解決するための手段】
【０００５】
上記課題を解決するために、本考案のライティングセットコントローラーは、低圧回路と、制御回路と、出力回路とを備え、各部に次のような構成が採用される。低圧回路は、市内電源と接続され、後部回路に安定した直流電源を供給する。制御回路は、ライティングセット駆動信号を出力する。制御回路のライティングセットの駆動信号へ入力し、出力回路より接続しているライティングセットを点滅させる動作を含む各種動作を行う。その特徴は、低圧回路にはフルブリッジ整流回路を含み、フルブリッジ整流回路の一本の交流入力線に入力した交流電圧の上げ下げ作用に役立つ抵抗とコンデンサーと直列させ、フルブリッジ整流回路の直流出力線はフィルターコンデンサーとツェナ−ダイオードと並列させ、ツェナ−ダイオードの陽陰極は後部回路の低圧直流電源の出力端とする。このライティングセットコントローラーの特に優れた点は、低圧回路はフルブリッジ整流回路の交流入力線にある抵抗とコンデンサーで直列させ、コンパクトにはなれないかつ高コストのトランスを採用しなくても、低圧電流が得られるので、コンパクト・簡単かつローコストのコントローラは全てのあらゆる飾りランプに適用する。
【考案の効果】
【０００６】
本考案のライティングセットコントローラーは、上記構成により、高価で、大型のトランスを採用することなしに、低圧電流を得ることができ、このコントローラーの構造を簡易にして、コストの低減と（体積の）コンパクト化を図ることができ、このコントローラーをあらゆる飾りランプに適用することができる。
【考案を実施するための最良の形態】
【０００７】
図１に本考案の一実施の形態として、ライティングセットコントローラーとこのコントローラーにコントロールされるライティングセットの回路構成を示している。図１において、１はライティングセットコントローラーで、低圧回路と、制御回路と、出力回路とを備える。２はライティングセットで、ＬＡＭＰ１、ＬＡＭＰ２、ＬＡＭＰ３、ＬＡＭＰ４を備える。なお、ライティングセット２は１個のランプで構成されてもよい。
【０００８】
低圧回路はダイオードＤ１〜Ｄ４により組み立てられたフルブリッジ整流回路が採用される。このフルブリッジ整流回路の一方の交流入力線Ｌ１に入力する交流電圧の上げ下げ作用に役立つコンデンサーＣ１と抵抗Ｒ１が直列に接続され、他方の交流入力線Ｌ２は直接市内電源（１００〜２４０Ｖ、５０〜６０Ｈｚの交流電圧）と接続され、フルブリッジ整流回路の直流出力線Ｌ３、Ｌ４にフィルターコンデンサーＣ２とツェナ−ダイオードＤ５が並列に接続されて、ツェナ−ダイオードＤ５の陽陰極を後部回路の低圧直流電源の出力端とする。このようにして低圧回路は市内電源と接続され、ライティングセットを含む後部回路に安定した直流電源を供給する。
【０００９】
制御回路は抵抗Ｒ３、ＩＣ、スイッチＳＷ−ＰＢなどで構成される。抵抗Ｒ３は低圧回路の出力端に接続され、ＩＣに電源を供給する。ＩＣは少なくとも一つ直流電流を変化させる出力ピンを備え、この出力ピンを通じてライティングセット駆動信号を出力する。この場合、ＩＣにライティングセットのＬＡＭＰ１〜ＬＡＭＰ４に対応させて４個の出力ピンを備えればよく、必要に応じて３ピンでも、５ピンでも、また６ピンであってもよい。また、スイッチＳＷ−ＰＢは、ライティングセットのＬＡＭＰ１〜ＬＡＭＰ４に異なる点滅効果を出すために、この制御回路のライティングセット作動方式を選択するスイッチで、例えばＩＣの出力ピン１と出力ピン２の間にスイッチＳＷ−ＰＢが接続され、選択スイッチを押すことにより、対応している制御回路の出力ピンと接続し、出力回路にあるランプを設定された作動方式で作動する。このようにして制御回路は低圧回路に接続され、低圧回路からの入力により、ライティングセット駆動信号を出力する。
【００１０】
出力回路は制御回路の４個の出力ピン６、５、４、３に対応して接続される４個の三極管（トランジスタ）Ｑ１、Ｑ２、Ｑ３、Ｑ４により組み立てられ、これら三極管Ｑ１、Ｑ２、Ｑ３、Ｑ４に対応して、ライティングセットのＬＡＭＰ１、ＬＡＭＰ２、ＬＡＭＰ３、ＬＡＭＰ４が接続される。この場合、三極管Ｑ１の基極は制御回路の対応する出力ピン６に接続されて、コレクタにＬＡＭＰ１（の片方）が接続される。三極管Ｑ２の基極は制御回路の対応する出力ピン５に接続されて、コレクタにＬＡＭＰ２（の片方）が接続される。三極管Ｑ３の基極は制御回路の対応する出力ピン４に接続されて、コレクタにＬＡＭＰ３（の片方）が接続される。三極管Ｑ４の基極は制御回路の対応する出力ピン３に接続されて、コレクタにＬＡＭＰ４（の片方）が接続される。また、各ライティングセット（ＬＡＭＰ１、ＬＡＭＰ２、ＬＡＭＰ３、ＬＡＭＰ４）の片方の低圧回路の出力端Ａと接続して回路を構成することも可能である。このようにして出力回路は制御回路に接続され、制御回路の各出力ピンから出力されたライティングセット駆動信号（の入力）により、各出力ピンに対応する各三極管が導電又は半導電又は停止状態に制御され、また、振幅変調方式を利用して当該三極管の導通時間が調節され、当該三極管に対応して接続されるライティングセットを駆動し、ＬＡＭＰ１、ＬＡＭＰ２、ＬＡＭＰ３、ＬＡＭＰ４を明るくしたり半分明るくしたり暗くしたりする動作、点滅する動作を含むライティング動作を行う。
【００１１】
続いて、このライティングセットコントローラーの動作について説明する。市内電源から１００〜２４０Ｖ、５０〜６０Ｈｚの交流電圧が低圧回路に入力されると、この交流電圧は低圧回路でコンデンサーＣ１と抵抗Ｒ１により低圧に変圧され、ダイオードＤ１〜Ｄ４により組み立てられたフルブリッジ整流回路により整流される。整流後のパルス直流はフィルターコンデンサーＣ２、ツェナ−ダイオードＤ５を通して安定して出力される。この安定化された低圧直流電源がライティングセットを含む後部回路に供給される。低圧回路に接続された制御回路は、この低圧回路からの入力により、ライティングセット駆動信号を出力する。この場合、スイッチＳＷ−ＰＢにより選択されたライティングセットの作動方式に従って、制御回路の出力ピン３〜６の全部又は一部から多変化の直流電流が出力され、これが出力ピン３〜６に対応して接続された出力回路の三極管Ｑ１〜Ｑ４の全部又は一部に入力される。これにより三極管Ｑ１〜Ｑ４の全部又一部は導電又は半導電又は停止状態に制御され、また、幅変調方式を利用して、当該三極管の導通時間が調節され、これら三極管Ｑ１〜Ｑ４に接続されたライティングセットのＬＡＭＰ１〜４の全部又は一部が駆動され、ＬＡＭＰ１〜４の全部又は一部が明るくなったり半分明るくなったり暗くなったりする動作、点滅する動作などが行われる。この明るくまた暗くなる感覚により、美感が与えられる。
【００１２】
このようにこのライティングセットコントローラーでは、低圧回路にフルブリッジ整流回路を採用し、このフルブリッジ整流回路の交流入力線に抵抗とコンデンサーを直列に接続しているので、高価で、大型のトランスを採用することなしに、低圧電流を得ることができ、このコントローラーの構造を簡易にして、コストの低減と（体積の）コンパクト化を図ることができ、このコントローラーをあらゆる飾りランプに適用することができる。
【００１３】
以上、本考案の一実施の形態について説明したが、本考案は上記実施の形態に限定されるものではなく、実用新案登録請求の範囲に記載された本願考案を逸脱することなく種々の設計を行うことが可能である。したがって、ライティングセットコントローラーにおいて、制御回路によりライティングセット駆動信号を出力し、出力回路を制御して、ライティングセットを点滅その他の動作に駆動する形式で、本願考案の低圧回路を採用していれば、本願考案の保護範囲内に入るべきである。
【図面の簡単な説明】
【００１４】
【図１】本考案の一実施の形態におけるライティングセットコントローラーの回路構成を示す回路図
【符号の説明】
【００１５】
１  ライティングセットコントローラー
２  ライティングセット
【図１】
0003121068.tif 000003